(57)【要約】【課題】  電話機に備えられている各種の機能を容易に選択実行させる。【解決手段】  各種の情報を表示する表示画面３（２２）を備えるとともに、番号入力を行うためのキーボタン１を各番号毎にそれぞれ備えた携帯電話機において、当該電話機に備えられた複数の機能に対応させた複数の図形情報を保持する記憶手段１１と、図形情報の基づく各図形を表示画面３に一覧表示する表示手段１２と、キーボタン操作に基づいて一覧表示された任意の図形を選択する選択処理手段１３と、選択された図形を特定する選択検出手段１４と、特定された図形に基づいて対応する機能を実行する機能手段１５と、を備え、それぞれの機能に割り当てた図形を表示画面に３一覧表示し、使用者がキーボタン操作によって所望の機能に対応した図形を選択することにより、当該機能を実行させる。【選択図】  図１
2007124683.tif 000002
【特許請求の範囲】
【請求項１】
各種の情報を表示する表示画面を備えた携帯電話機において、
表示手段が、携帯電話機の機能であって発信機能以外の複数の機能を表示画面に表示させるための機能キーが操作されたことに応じて、複数の機能に対応させた複数の図形を表示画面に上下左右に配置したマトリックス状に一覧表示し、
表示画面に一覧表示された複数の図形のうち１つを選択するための選択位置を上下左右に移動させる移動キーを上下左右の配置関係で設け、当該移動により選択位置を指定された図形の機能を実行させるための決定キーを、移動キーの配置位置の中央であり、かつ携帯電話機の表示画面の下方にある操作面であって、携帯電話機の筐体の短手方向の中央位置に設け、
前記移動キーの操作に基づいて一覧表示されている図形の選択位置を移動させ、
前記決定キーの操作に基づいて移動キーにより選択位置を指定された図形に対応する機能を実行することを特徴とする携帯電話機。
【請求項２】
各種の情報を表示する表示画面を備えた携帯電話機において、
表示手段が、携帯電話機の機能であって発信機能以外の複数の機能を表示画面に表示させるための機能キーが操作されたことに応じて、複数の機能に対応させた複数の図形を表示画面に上下左右に配置したマトリックス状に一覧表示し、
表示画面に一覧表示された複数の図形のうち１つを選択するための選択位置を上下左右に移動させる移動キーを上下左右の配置関係で設け、当該移動により選択位置を指定された図形の機能を実行させるための決定キーを、移動キーの配置位置の中央であり、かつ携帯電話機の表示画面の下方にある操作面であって、携帯電話機の筐体の短手方向の中央位置に設け、更に、当該決定キーが突部を有しており、
前記移動キーの操作に基づいて一覧表示されている図形の選択位置を移動させ、
前記決定キーの操作に基づいて移動キーにより選択位置を指定された図形に対応する機能を実行することを特徴とする携帯電話機。
【請求項３】
各種の情報を表示する表示画面を備えた携帯電話機において、
表示手段が、携帯電話機の機能であって発信機能以外の複数の機能を表示画面に表示させるための機能キーが操作されたことに応じて、複数の機能に対応させた複数の図形を表示画面に上下左右に配置したマトリックス状に一覧表示し、
表示画面に一覧表示された複数の図形のうち１つを選択するための選択位置を上下左右に移動させる移動キーを上下左右の配置関係で設け、当該移動により選択位置を指定された図形の機能を実行させるための決定キーを、移動キーの配置位置の中央であり、かつ携帯電話機の表示画面の下方にある操作面であって、携帯電話機の筐体の短手方向の中央位置に設け、更に、当該決定キーは使用者が選択位置移動方向を容易に把握できる形状を有し、
前記移動キーの操作に基づいて一覧表示されている図形の選択位置を移動させ、
前記決定キーの操作に基づいて移動キーにより選択位置を指定された図形に対応する機能を実行することを特徴とする携帯電話機。
【発明の詳細な説明】
【技術分野】
【０００１】
本発明は、各種の情報を表示する表示画面を備えるとともに番号入力を行うための複数のキーボタンを備えた携帯電話機に関し、特に、電話機に備えられた各種の機能を表示画面に表示した図形に基づいて選択実行させるようにした携帯電話機に関する。
【背景技術】
【０００２】
例えば、携帯電話機や自動車電話機等の移動体電話機では、図５に示すように、電話番号の入力を行うための「０」〜「９」や「＊」及び「＃」等といったキーボタン１がそれぞれ設けられており、電話をかける際にはキーボタンをプッシュ操作して電話番号を入力するようになっている。
また、このような移動体電話機には通話時間を表示画面３に表示したり通話を保留するといった各種の機能が備えられており、これら機能を選択実行させるための機能キーボタン２が電源キーボタン等とともに設けられている。
【０００３】
例えば、移動体電話機に１０個の機能を備えている場合には、図６に示すように、それぞれの機能を「０」〜「９」の１０個の番号キーボタン１の割り当てておき、機能キーボタン２との組合せで各機能を選択実行させるようにしている。したがって、使用者が機能キーボタン（ＦＣＮ）２と任意の番号キーボタン１とを続けてプッシュ操作すると（ステップＳ１）、当該番号キーボタン１に対応した機能が実行され（ステップＳ２）、表示画面３に通話時間を表示する等の処理が行われる。
【０００４】
また、移動体電話機に備えられた各種の機能を使用者に選択させる方式としては、従来より表示画面３に各機能の名称を順次表示させるものも知られている。この方式では、図７に示すように、機能キーボタン（スクロールキーボタンとも称する）をプッシュ操作すると（ステップＳ１１）、表示画面３に或る機能の名称が表示され、キーボタン１或いは２中に設定した送りキーボタンをプッシュ操作する毎に次の機能名称を表示画面に表示する（ステップＳ１３）。そして、キーボタン１或いは２中に設定した選択キーボタンを、所望の機能の名称が表示されたところでプッシュ操作することにより（ステップＳ１４）、当該機能が実行され（ステップＳ１５）、表示画面３に通話時間を表示する等の処理が行われる。
【発明の開示】
【発明が解決しようとする課題】
【０００５】
しかしながら、上記した電話機にあっては各種の機能を選択実行させるために、困難且つ煩雑な操作を行わなければならないという問題があった。
すなわち、番号キーボタン１に機能を割り当てておくものにあっては、何番の番号キーボタンにどのような機能が割り当てられているかを使用者が記憶しておかなければならず、機能が多数ある場合にはかなり困難な操作を使用者に強いていた。また、機能名称を順次画面表示するものにあっては、目的の機能の名称が画面に表示されるまで送りキーボタン操作を繰り返し行わなければならず、機能を実行させるために使用者に煩雑な操作を強いるばかりか、目的とする機能を迅速に実行させることができなかった。
【０００６】
本発明は上記従来の事情に鑑みなされたもので、電話機に備えられている各種の機能を容易に選択実行させることができる携帯電話機を提供することを目的とする。
【課題を解決するための手段】
【０００７】
上記目的を達成するため、本発明に係る携帯電話機は、各種の情報を表示する表示画面を備えるとともに、番号入力を行うためのキーボタンを各番号毎にそれぞれ備えた携帯電話機において、当該電話機に備えられた複数の機能に対応させた複数の図形情報を保持する記憶手段と、前記図形情報の基づく各図形を前記表示画面に一覧表示する表示手段と、前記キーボタン操作に基づいて一覧表示された任意の図形を選択する選択処理手段と、前記選択された図形を特定する選択検出手段と、特定された図形に基づいて対応する機能を実行する機能手段と、を備えたことを特徴とする。
【０００８】
本発明の携帯電話機によると、それぞれの機能に割り当てられた図形が表示画面に一覧表示され、使用者がキーボタン操作を行って一覧の中から所望の機能に対応した図形を選択することにより、当該機能が実行される。したがって、使用者は種々ある機能を記憶記憶しておらずとも迅速に目的とする機能を実行させることができる。
【０００９】
なお、機能に対応付けた図形は、当該機能を使用者にイメージさせるアイコン化しておくのが好ましい。また、本発明は、携帯電話や自動車電話といった移動体電話機のみならず、卓上据え置き式の電話機にも適用することができ、移動体電話機と同様な効果を得ることができる。
【発明の効果】
【００１０】
本発明の携帯電話機によれば、各種の機能に対応させた図形を表示画面に表示して、いずれかの図形を選択することによって対応する機能を実行させるようにしたため、使用者が機能とキーボタンとの関係を記憶したり、或いは、メニュー画面を幾度もスクロールさせることなく、目的とする機能を迅速且つ容易に実行させることができる。
また、上記した実施例では、「５」の番号キーボタンを中心として上下左右に位置する「２」、「４」、「６」、「８」の番号キーボタンをカーソル移動操作ボタンに設定したため、カーソル移動による図形選択操作を容易に行うことができる。
【発明を実施するための最良の形態】
【００１１】
本発明を図５に示した移動体電話機に適用した一実施例を図面を参照して説明する。
図１に示すように、本実施例の移動体電話機は、電話機に備えられた各種の機能に対応させた複数の図形情報を保持する記憶手段１１と、記憶手段１１に保持されている図形情報の基づいて各図形を表示画面３に一覧表示する表示手段１２と、キーボタン１、２のプッシュ操作に基づいて一覧表示された任意の図形を選択する選択処理手段１３と、この選択された図形を特定する選択検出手段１４と、特定された図形に基づいて対応する機能を実行する機能手段１５と、を備えている。
【００１２】
本実施例の移動体電話機におけるハードウエア構成は図２に示すようになっており、記憶手段１１を構成するＲＯＭ２１と、表示手段１２を構成する液晶板（ＬＣＤドットマトリックス）２２及びＬＣＤドライバ２３と、選択処理手段１３、選択検出手段１４並びに機能手段１５を構成するＭＰＵ２４と、を備えている。
液晶板２２は携帯電話機に設けられた表示画面３を構成しており、ＭＰＵ２４による制御の下にＬＣＤドライバ２３によって駆動されて各種の情報を表示する。すなわち、ＲＯＭ２１には上記した複数の図形情報が予め格納されており、これら図形情報に基づいて図３の右側部分に示すようなアイコン図形の一覧が表示画面３に表示される。
【００１３】
また、図４に示すように、番号キーボタン１の内の「２」、「４」、「６」、「８」には表示画面３に表示されるカーソル１０をそれぞれ「上」、「左」、「右」、「下」へ移動させる操作が割り当てられており、アイコン図形に一覧が表示画面３に表示されたモードではこれら移動機能が起動される。また、番号キーボタン１の内の「５」にはカーソル一のアイコン図形を選択指示する機能が割り当てられており、アイコン図形に一覧が表示画面３に表示されたモードではこの選択機能が起動される。
【００１４】
なお、番号キーボタン「５」を中心として上下左右に配設されている番号キーボタン「２」、「４」、「６」、「８」に上下左右への移動機能を割り当てて、カーソル１０の移動方向をこれら番号キーボタンの配列に対応付けてあるため、使用者が容易にカーソル操作をできるようになっている。また、操作上の便宜がら、中心位置にある番号キーボタン「５」には突起等が設けられているため、使用者がカーソル移動方向をより容易に把握できるようになっている。
【００１５】
本実施例の移動体電話機で所望の機能を選択して実行させる処理は、図３に示す手順で行われる。
すなわち、使用者が機能キーボタンをプッシュ操作すると（ステップＳ２１）、ＭＰＵ２４が記憶手段１１から図形情報を読み出して、機能に対応したアイコン図形の一覧を表示手段１２が表示画面３に表示する（ステップＳ２２）。そして、使用者が番号キーボタンの「２」、「４」、「６」、「８」をプッシュ操作すると（ステップＳ２３）、これに応じて選択処理手段１３が一覧とともに表示されているカーソル１０を移動させる。
【００１６】
そして、カーソル１０が所望のアイコン図形を示す位置となったところで、使用者が番号キーボタンの「５」をプッシュ操作すると（ステップＳ２３）、これに応じて選択検出手段１４がこの操作によって選択されたアイコン図形を特定する。
この特定処理は、例えば、表示画面３におけるアイコン図形の位置とカーソル１０の位置とを比較することによってなされ、選択されたアイコン図形に対応した処理を機能手段１５が実行する（ステップＳ２４）。したがって、使用者は表示画面３に一覧表示されたアイコン図形をカーソル操作して選択するだけで、種々ある機能の内から目的の機能を迅速に実行させることができる。
【図面の簡単な説明】
【００１７】
【図１】本発明の一実施例に係る機能手段構成を示すブロック図である。
【図２】本発明の一実施例に係るハードウエア構成を示すブロック図である。
【図３】本発明の一実施例に係る処理手順を示す説明図である。
【図４】本発明の一実施例に係る番号キーボタンを示す説明図である。
【図５】携帯電話機の外観を示す斜視図である。
【図６】従来例の処理手順を示す説明図である。
【図７】他の従来例の処理手順を示す説明図である。
【符号の説明】
【００１８】
１・・・番号キーボタン、  ３・・・表示画面、  １１・・・記憶手段、
１２・・・表示手段、  １３・・・選択処理手段、  １４・・・選択検出手段、
１５・・・機能手段、  ２１・・・ＲＯＭ、  ２２・・・液晶板、
２４・・・ＭＰＵ、
【図１】
2007124683.tif 000003
【図２】
2007124683.tif 000004
【図３】
2007124683.tif 000005
【図４】
2007124683.tif 000006
【図５】
2007124683.tif 000007
【図６】
2007124683.tif 000008
【図７】
2007124683.tif 000009